(57)【要約】【目的】  ユーザの番組視聴を妨げずにメールの受信を報知することができるメール受信装置を提供する。【構成】  ＣＰＵ５は放送波の受信による映像表示の状態が途切れたかどうかを判定し、映像表示の状態が途切れたと判定したときをトリガにして電子メール着信の報知となる文字メッセージ（例えば、「Ｅメールがきています」等）をＯＳＤ機能を用いて画面表示する。放送波受信による映像表示の状態が途切れたとの判定は、ユーザ操作によるチャンネル選択の指令（チャンネルアップダウン、チャンネル番号指定）を受けたとき、ユーザ操作による電源ＯＦＦ指令を受けたとき、及びユーザ操作によるガイド画面（ＥＰＧ画面、メニュー画面、操作画面、ジャンル検索結果画面等）の表示指示を受けたときに行うようにしている。【選択図】        図１
2005252330.tif 000002
【特許請求の範囲】
【請求項１】
電子メールを受信する機能に加え放送波を受信して映像表示を行う機能を備えたメール受信装置において、電子メールの着信を知らせる報知手段と、前記放送波の受信による映像表示の状態が途切れたかどうかを判定する手段と、映像表示の状態が途切れたと判定したときに前記報知手段による電子メール着信の報知を実行させる制御手段と、を備えたことを特徴とするメール受信装置。
【請求項２】
請求項１に記載のメール受信装置において、前記判定手段は、ユーザ操作によるチャンネル選択の指令を受けたとき、ユーザ操作による電源ＯＦＦ指令を受けたとき、ユーザ操作によるガイド画面表示指示を受けたとき、のいずれか一つ又は複数について、放送波受信による映像表示状態の途切れが生じたと判断するように構成されたことを特徴とするメール受信装置。
【請求項３】
電子メールを受信する機能に加え放送波を受信して映像表示を行う機能を備えたメール受信装置において、電子メールの着信を知らせる報知手段と、利用者が装置前方に居るかどうかを判断する手段と、利用者が装置前方に居なくなったと判定したときに前記報知手段による電子メール着信の報知を実行させる制御手段と、を備えたことを特徴とするメール受信装置。
【請求項４】
電子メールを受信する機能に加えテレビ電話機能を備えたメール受信装置において、電子メールの着信を知らせる報知手段と、利用者が装置前方に居るかどうかを判断する手段と、利用者が装置前方に居なくなったと判定したときに前記報知手段による電子メール着信の報知を実行させる制御手段と、を備えたことを特徴とするメール受信装置。
【請求項５】
請求項３又は請求項４に記載のメール受信装置において、前記判定手段は、カメラにて撮像された基準画像を保持する手段と、前記カメラにて撮像されている現在画像と前記基準画像とを比較する手段と、現在画像と基準画像との差異が所定値以下の場合に、利用者が装置前方に居なくなったと判定するように構成されたことを特徴とするメール受信装置。
【発明の詳細な説明】
【技術分野】
【０００１】
この発明は、放送受信機能或いはテレビ電話機能を備えるメール受信装置に関する。
【背景技術】
【０００２】
従来より、メール機能が付加された携帯電話が知られている。また、テレビ放送視聴が可能な携帯電話、更には、テレビ電話機能を備えた携帯電話も提案されている。そして、受信したメールをモニタ画面上に直ちに表示させるディジタル放送受信装置も提案されている（特許文献１参照）。
【特許文献１】特開２００１−１９７３８５号公報
【発明の開示】
【発明が解決しようとする課題】
【０００３】
しかしながら、受信したメールをモニタ画面上に直ちに表示した場合、番組視聴中に番組映像以外の映像が入り込むことになる。これでは、視聴が妨げられたとユーザが感じるおそれがある。
【０００４】
この発明は、上記の事情に鑑み、ユーザの番組視聴を妨げずにメールの受信を報知することができるメール受信装置を提供することを目的とする。
【課題を解決するための手段】
【０００５】
この発明のメール受信装置は、上記の課題を解決するために、電子メールを受信する機能に加え放送波を受信して映像表示を行う機能を備えたメール受信装置において、電子メールの着信を知らせる報知手段と、前記放送波の受信による映像表示の状態が途切れたかどうかを判定する手段と、映像表示の状態が途切れたと判定したときに前記報知手段による電子メール着信の報知を実行させる制御手段と、を備えたことを特徴とする。
【０００６】
上記の構成であれば、放送波の受信による映像表示の状態が途切れたときに電子メール着信の報知が行われるので、ユーザの番組視聴を妨げずにメールの受信を報知することができる。
【０００７】
上記構成のメール受信装置において、前記判定手段は、ユーザ操作によるチャンネル選択の指令を受けたとき、ユーザ操作による電源ＯＦＦ指令を受けたとき、ユーザ操作によるガイド画面表示指示を受けたとき、のいずれか一つ又は複数について、放送波受信による映像表示状態の途切れが生じたと判断するように構成されていてもよい。
【０００８】
また、この発明のメール受信装置は、電子メールを受信する機能に加え放送波を受信して映像表示を行う機能を備えたメール受信装置において、電子メールの着信を知らせる報知手段と、利用者が装置前方に居るかどうかを判断する手段と、利用者が装置前方に居なくなったと判定したときに前記報知手段による電子メール着信の報知を実行させる制御手段と、を備えたことを特徴とする。
【０００９】
また、この発明のメール受信装置は、電子メールを受信する機能に加えテレビ電話機能を備えたメール受信装置において、電子メールの着信を知らせる報知手段と、利用者が装置前方に居るかどうかを判断する手段と、利用者が装置前方に居なくなったと判定したときに前記報知手段による電子メール着信の報知を実行させる制御手段と、を備えたことを特徴とする。
【００１０】
これらの構成であれば、例えば、ユーザが何かの用事のために席を外すとメッセージが表示されることになり、ユーザが戻ってきたときに、ユーザは前記メッセージを見ることになる。従って、ユーザの番組視聴やテレビ電話使用を妨げずにメールの受信を報知することができる。
【００１１】
これら構成のメール受信装置において、前記判定手段は、カメラにて撮像された基準画像を保持する手段と、前記カメラにて撮像されている現在画像と前記基準画像とを比較する手段と、現在画像と基準画像との差異が所定値以下の場合に、利用者が装置前方に居なくなったと判定するように構成されていてもよい。
【発明の効果】
【００１２】
この発明によれば、ユーザの番組視聴やテレビ電話使用を妨げずにメールの受信を報知することができるという効果を奏する。
【発明を実施するための最良の形態】
【００１３】
（実施例１）
図１はディジタル放送受信が可能に構成されたメール受信装置を示している。アンテナ１は地上放送局から送られてくるディジタル放送波を受信する。チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１４】
ＡＶデコーダ部３はチューナ２からのトランスポート・ストリームを入力し、例えばＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離し、ＰＳＩ／ＳＩに含まれる番組情報等をＣＰＵ４に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。
【００１５】
また、ＡＶデコーダ部３は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。
【００１６】
ＮＴＳＣエンコーダ４は、デコードにより生成された映像データに対してＤ／Ａ変換を行い、ＮＴＳＣコンポジット映像信号に変換すると共に、デコードにより生成された音声データに対してＤ／Ａ変換を行い、例えば右（Ｒ）音のアナログ信号及び左（Ｌ）音のアナログ信号を生成する。
【００１７】
サブＣＰＵ６は、図示しないリモコン送信機又は本体ボタンからの操作信号を入力し、この操作信号に基づいた操作指令をＣＰＵ５に与える。ＣＰＵ５は前記操作指令に基づいて各機能部に対して命令信号を与える。また、ＣＰＵ５は、ＯＳＤ機能部を有する。ＯＳＤ機能部はＣＰＵ５から出力指示された文字情報や色情報に基づく映像データをＡＶデコーダ３に出力する。ＡＶデコーダ３は加算器を備えており、前記映像データを受信映像データに重畳する処理を行う。上記ＯＳＤ回路１２により、番組情報に基づくＥＰＧ（Ｅｌｅｃｔｒｏｎｉｃ  Ｐｒｏｇｒａｍ  Ｇｕｉｄｅ）表示や文字メッセージ表示などが行えることになる。
【００１８】
メール受信部７は、例えば、家屋内有線電話回線に接続されることで電子メールの送受信が行えるようになっている。勿論、ＰＨＳデータカードが装着されることにより無線で電子メールの送受信が行える構成でもよい。メール受信部７は、メールを受信したときには、そのことをＣＰＵ５に通知すると共に受信メールの内容をメモリ８に格納する。
【００１９】
メモリ（ＲＡＭ、ＥＥＰＲＯＭ、フラッシュメモリ等）８には、ＥＰＧ画面を表示するためのＥＰＧ情報、メッセージ情報、前記メール受信部７にて受信された受信メールデータなどが格納される。
【００２０】
ＣＰＵ５は、このメール受信装置における全体制御を行うものであるが、特にこの発明にかかる制御として、以下に示す受信メール報知処理を行うようになっている。
【００２１】
ＣＰＵ５は放送波の受信による映像表示の状態が途切れたかどうかを判定し、映像表示の状態が途切れたと判定したときをトリガにして電子メール着信の報知となる文字メッセージ（例えば、「Ｅメールがきています」等）をＯＳＤ機能を用いて画面表示する。放送波受信による映像表示の状態が途切れたとの判定は、ユーザ操作によるチャンネル選択の指令（チャンネルアップダウン、チャンネル番号指定）を受けたとき、ユーザ操作による電源ＯＦＦ指令を受けたとき、及びユーザ操作によるガイド画面（ＥＰＧ画面、メニュー画面、操作画面、ジャンル検索結果画面等）の表示指示を受けたときに行うようにしている。
【００２２】
従って、現在受信中の番組から別のチャンネルの番組の表示に切り替わるときなど、映像表示の状態が途切れたときに、メール受信のメッセージが表示されることになり、ユーザのテレビ視聴を妨げないでメール受信をユーザに知らせることができる。なお、この実施形態では、切り替えられたチャンネルの番組映像に重ねてメッセージの表示を行うこととしている。また、ＥＰＧ画面等のガイド画面に切り替わるときには、前記メッセージを数秒間表示した後にＥＰＧ画面を表示してもよいし、或いは、ＥＰＧ画面に重ねてメッセージの表示を行うことしてもよい。また、電源ＯＦＦ操作がなされたときには、受信映像表示は行わないで前記メッセージとＹＥＳ／ＮＯボタンを数秒間表示し、この間にＹＥＳボタンが操作されれば電子メールの内容を画面表示し、ＮＯボタンが操作されたときや何の操作も無かった場合には電源ＯＦＦの処理を行うようにしている。また、一度メッセージ表示を行うと、それ以降例えば３０分間はメッセージ表示を行わず、３０分経過後において、映像表示の状態が途切れたと再び判断したときに、メッセージ表示を行うこととしてもよい。また、かかるメール受信装置は、固定設置型に限らず、放送受信が行える携帯端末として構成してもよいものである。
【００２３】
（実施例２）
図２はディジタル放送受信及びテレビ電話が可能に構成されたメール受信装置を示している。テレビ電話を可能とするために、カメラ１１を備える。なお、テレビ電話機能自体は周知であるので、その詳細は省略する。
【００２４】
初期設定として、当該メール受信装置が設置された位置において、前記カメラ１１にて前方（ユーザが位置することとなる方向）を撮像する。この撮像は、ユーザがメール受信装置の前方に居ない状態で行う。ユーザがリモコン送信機等を用いて初期撮像を指示すると、カメラ１１にて撮像された静止画データは基準画像としてメモリ７に格納される。それ以降は、差分検出回路１２において、カメラ１１の動画撮像データを所定間隔でサンプリングした静止画データ（現在画像）と前記メモリ７に格納された基準画像とを比較する処理が行われる。ＣＰＵ５は、差分検出回路１２から比較結果を受け取り、現在画像と基準画像との差異が所定値以下の場合にはユーザが装置前方に居ないと判定する。
【００２５】
ＣＰＵ５は、メール受信部７からメール受信の通知を受けている状態で、ユーザが装置前方に居なくなったと判定したときに、電子メール着信の報知となる文字メッセージ（例えば、「Ｅメールがきています」等）をＯＳＤ機能を用いて画面表示する。これによれば、例えば、ユーザが何かの用事のために席を外すと前記メッセージが画面に表示されることになり、ユーザが戻ってきたときに、ユーザは前記メッセージを見ることになる。なお、音声メッセージとする場合、ユーザが何かの用事のために席を外そうとしたときに、上記音声メッセージを聞くことになり、その場で或いは戻ってきたときに電子メールを表示させるための操作を行うことになる。
【００２６】
上記の例では、基準画像と現在画像との比較によってユーザが装置前方に居なくなったかどうかを判定することとしたが、例えば、赤外線感知器等を利用してユーザが装置前方に居なくなったかどうかを判定することも可能である。ユーザが装置前方に居なくなったかどうかの判定を行うことで、ディジタル放送受信の視聴及びテレビ電話の両方の使用において、ユーザの区切りの動作をトリガとして電子メール着信を知らせるメッセージが画面表示されることになる。テレビ電話の使用のみを考慮する場合、ＣＰＵ５が通話終了を判定したときに電子メール着信を知らせるメッセージを画面表示する構成も有効となる。
【００２７】
また、上記の例では、電子メール着信を知らせるメッセージを画面表示することとしたが、ＬＥＤ等の点灯や点滅によって電子メール着信をユーザに知らせることとしてもよい。
【図面の簡単な説明】
【００２８】
【図１】この発明の実施形態のメール受信装置を示したブロック図である。
【図２】この発明の実施形態のメール受信装置の他の例を示したブロック図である。
【符号の説明】
【００２９】
２    チューナ
３    ＡＶデコーダ
５    ＣＰＵ
７    メール受信部
８    メモリ
１１  カメラ
１２  差分検出回路
【図１】
2005252330.tif 000003
【図２】
2005252330.tif 000004